(57)【要約】【課題】  仮植床を用いる必要のない簡易な構成でありながら、高温季節における収穫を可能とする。【解決手段】  自然条件下における高温季節中期に親株を植え、温室に設置した保温設備及び電照設備を必要に応じて利用し、自然条件下における低温季節前期又は中期前半を経過するまで高温長日環境を維持して、ランナーを発生させ、その後に採苗工程及び定植工程を経る構成とする。これにより、自然条件下における高温季節に果実を収穫することができる。このため、本発明の栽培方法と、従来の通常時期の栽培方法とを組み合わせることにより、自然条件下における高温季節には本発明の栽培方法により得られた果実を収穫でき、低温季節には従来の通常時期の栽培方法により得られた果実を収穫できるため、果実の周年に亘る収穫、出荷が可能になる。【選択図】  図１
2006034204.tif 000002
【特許請求の範囲】
【請求項１】
温室内でイチゴを栽培する方法であって、
所定期間高温長日環境を維持して親株からランナーを発生させる増殖工程と、
前記ランナーに着生した子株を実質的に未発根の状態で、所定長のランナーを付随させて切り離す採苗工程と、
切り離された前記子株をそのまま本圃に定植すると共に、子株に付随するランナーの先端を本圃の培地に差し込む定植工程とを備え、
本圃において前記子株を生育させ、果実を収穫することを特徴とするイチゴの栽培方法。
【請求項２】
温室内でイチゴを栽培する方法であって、
自然条件下における高温季節中期に親株を植え、温室に設置した保温設備及び電照設備を必要に応じて利用し、自然条件下における低温季節前期を経過するまで若しくは低温季節中期前半を経過するまで高温長日環境を維持して、ランナーを発生させる増殖工程と、
前記ランナーに着生した子株を実質的に未発根の状態で、所定長のランナーを付随させて切り離す採苗工程と、
切り離された前記子株をそのまま本圃に定植すると共に、子株に付随するランナーの先端を本圃の培地に差し込む定植工程とを備え、
本圃において前記子株を生育させ、自然条件下における高温季節に果実を収穫することを特徴とするイチゴの栽培方法。
【請求項３】
前記採苗工程においては、子株に１０ｃｍ以上の長さのランナーを付随させた状態で採苗することを特徴とする請求項１又は２記載のイチゴの栽培方法。
【請求項４】
前記採苗工程において子株に付随させるランナーが、親株に近い前段側のランナーであることを特徴とする請求項１〜３のいずれか１に記載のイチゴの栽培方法。
【請求項５】
前記増殖工程では、所定の高さに設置される栽培容器に親株を植え付け、ランナーを該栽培容器の外方に突出させて下方に伸長させる手段を用いることを特徴とする請求項１〜４のいずれか１に記載のイチゴの栽培方法。
【請求項６】
本圃へ定植後、所定期間、低温短日環境を維持することを特徴とする請求項１又は２記載のイチゴの栽培方法。
【請求項７】
前記高温季節が６月〜１１月であり、低温季節が１２月〜翌年５月であり、親株を植える高温季節中期が８月〜９月、高温長日環境を維持する低温季節前期が１２月〜翌年１月、低温季節中期が２月〜３月であることを特徴とする請求項２記載のイチゴの栽培方法。
【発明の詳細な説明】
【技術分野】
【０００１】
本発明は、イチゴの栽培方法に関し、より詳しくは、イチゴ栽培の省力化、効率化を図ることができるイチゴの栽培方法に関する。また、本発明は、特に、一季成り性品種のイチゴを夏季、秋季に収穫するのに適するイチゴの栽培方法に関する。
【背景技術】
【０００２】
一般に、一季成り性品種のイチゴ栽培は、３〜４月頃に親株を定植し、６〜７月頃までランナー（子株）を増殖させて採苗し、仮植床に移植して約１ヶ月育苗し、７月下旬から８月にかけて低温短日処理して花芽分化させ、９月上旬頃本圃に定植し、１１月中旬〜５月下旬にかけて果実を収穫している。イチゴの生理上、一季成り性品種のイチゴは、６月〜１１月の初夏から秋にかけてはほとんど栽培されておらず出荷されていない。この間の需要の多くは、四季成り性品種か、あるいは外国産の輸入に頼っているのが現状であるが、これらのイチゴは味覚に劣るため、一季成り性品種を初夏から秋にかけても収穫する工夫が近年検討されている。
【０００３】
特許文献１及び２では、本圃に定植した苗の根圏付近の地温を１３〜２５℃に維持すると共に、遮光シートなどにより短日環境を人工的に形成可能とすることにより、花芽分化を本圃において周年に亘って連続的に誘導し、同一圃場における同一苗株から夏季、秋季を含む周年に亘り果実を収穫する技術が開示されている。
【特許文献１】特開平４−６３５１９号公報
【特許文献２】特開平６−９０６１４号公報
【発明の開示】
【発明が解決しようとする課題】
【０００４】
しかしながら、従来行われている通常のイチゴ栽培、あるいは上記特許文献１、特許文献２に開示されたイチゴ栽培のいずれにおいても、本圃に定植する前の段階では、子株を採苗した後、仮植床に移植し、活着するまで所定期間育苗を行っている。また、必要に応じて、育苗期間の後期に花芽分化を誘導するための低温短日処理を行った後に、本圃へ定植している。従って、従来のイチゴ栽培では、本圃のほかに育苗用の仮植床が必要であり、限られた温室内で仮植床の設置スペースを確保しなければならず、また、コスト的にも負担となっている。
【０００５】
一方、特許文献１、特許文献２に開示された技術は、いずれも、本圃における栽培容器に冷却管を埋設し、本圃において周年に亘り花芽分化を維持するため、所定の時期のみに花芽分化のための低温短日処理を行えば済む通常の栽培法と比較して細かな温度制御、日長時間制御が周年に亘り常時必要で、作業が複雑でランニングコストの点でも課題がある。
【０００６】
本発明は上記に鑑みなされたものであり、仮植床を用いる必要がなく、育苗に必要なスペースを削減でき、本圃の栽培面積の拡大が可能であると共に、栽培コストの低減を図ることができるイチゴの栽培方法を提供することを課題とする。また、本発明は、仮植床を用いる必要のない簡易な構成でありながら、高温季節における収穫を可能とし、さらに、従来行われている通常の栽培方法とを組み合わせることによって周年に亘る収穫を可能とするイチゴの栽培方法を提供することを課題とする。
【課題を解決するための手段】
【０００７】
上記課題を解決するため、請求項１記載の本発明では、温室内でイチゴを栽培する方法であって、
所定期間高温長日環境を維持して親株からランナーを発生させる増殖工程と、
前記ランナーに着生した子株を実質的に未発根の状態で、所定長のランナーを付随させて切り離す採苗工程と、
切り離された前記子株をそのまま本圃に定植すると共に、子株に付随するランナーの先端を本圃の培地に差し込む定植工程とを備え、
本圃において前記子株を生育させ、果実を収穫することを特徴とするイチゴの栽培方法を提供する。
請求項２記載の本発明では、温室内でイチゴを栽培する方法であって、
自然条件下における高温季節中期に親株を植え、温室に設置した保温設備及び電照設備を必要に応じて利用し、自然条件下における低温季節前期を経過するまで若しくは低温季節中期前半を経過するまで高温長日環境を維持して、ランナーを発生させる増殖工程と、
前記ランナーに着生した子株を実質的に未発根の状態で、所定長のランナーを付随させて切り離す採苗工程と、
切り離された前記子株をそのまま本圃に定植すると共に、子株に付随するランナーの先端を本圃の培地に差し込む定植工程とを備え、
本圃において前記子株を生育させ、自然条件下における高温季節に果実を収穫することを特徴とするイチゴの栽培方法を提供する。
請求項３記載の本発明では、前記採苗工程においては、子株に１０ｃｍ以上の長さのランナーを付随させた状態で採苗することを特徴とする請求項１又は２記載のイチゴの栽培方法を提供する。
請求項４記載の本発明では、前記採苗工程において子株に付随させるランナーが、親株に近い前段側のランナーであることを特徴とする請求項１〜３のいずれか１に記載のイチゴの栽培方法を提供する。
請求項５記載の本発明では、前記増殖工程では、所定の高さに設置される栽培容器に親株を植え付け、ランナーを該栽培容器の外方に突出させて下方に伸長させる手段を用いることを特徴とする請求項１〜４のいずれか１に記載のイチゴの栽培方法を提供する。
請求項６記載の本発明では、本圃へ定植後、所定期間、低温短日環境を維持することを特徴とする請求項１又は２記載のイチゴの栽培方法を提供する。
請求項７記載の本発明では、前記高温季節が６月〜１１月であり、低温季節が１２月〜翌年５月であり、親株を植える高温季節中期が８月〜９月、高温長日環境を維持する低温季節前期が１２月〜翌年１月、低温季節中期が２月〜３月であることを特徴とする請求項２記載のイチゴの栽培方法を提供する。
【発明の効果】
【０００８】
本発明のイチゴの栽培方法は、所定期間高温長日環境を維持して親株から発生させたランナーに着生した子株を実質的に未発根の状態で、所定長のランナーを付随させて切り離し、本圃にそのまま子株を定植すると共に、子株に付随するランナーの先端を本圃の培地に差し込む工程を備えている。このため、従来のように、仮植床を用いる必要がなく、設備コストの低減を図ることができると共に、より広い本圃面積を確保できる。また、子株を実質的に未発根の状態で定植しているため、新根を本圃の培地に直接繁茂させることができ、仮植床から本圃へ移植する従来の栽培方法と比較し、植え替えによる根のストレスがなく、植物の養水分の吸収機能を良好に保つことができる。一方、実質的に未発根の状態で定植するため、定植直後においては培地から養水分を十分吸収できるだけの根を備えていないが、本発明によれば、所定長のランナーを付随させたまま採苗し、ランナーの先端を培地に差し込むため、ランナーを介して養水分が補給される。このため、実質的に未発根の状態で本圃に直接定植するにも拘わらず、十分な活着率を期待できる。
【０００９】
また、本発明のイチゴの栽培方法は、自然条件下における高温季節中期に親株を植え、温室に設置した保温設備及び電照設備を必要に応じて利用し、自然条件下における低温季節前期又は中期前半を経過するまで高温長日環境を維持して、ランナーを発生させ、その後に上記採苗工程及び定植工程を経る構成とすることにより、上記と同様の効果を奏することができるほか、自然条件下における高温季節に果実を収穫することができる。このため、本発明の栽培方法と、従来の通常時期の栽培方法とを組み合わせることにより、自然条件下における高温季節には本発明の栽培方法により得られた果実を収穫でき、低温季節には従来の通常時期の栽培方法により得られた果実を収穫できるため、果実の周年に亘る収穫、出荷が可能になる。
【発明を実施するための最良の形態】
【００１０】
以下、実施形態に基づき本発明をさらに詳細に説明する。本実施形態では、高温季節に果実を収穫する方法を例に挙げ説明する。図１は、その栽培工程を示す図である。なお、本明細書でいう「自然条件下における高温季節」とは、日本の６月〜１１月、すなわち、夏から秋にかけての季節を指し、「自然条件下における低温季節」とは、１２月〜５月、すなわち、冬から春にかけての季節を指す。また、高温季節又は低温季節における「前期」は各季節の最初の２月間を、「中期」は中間の２月間を、後期は最後の２月間を指すものと定義する。
【００１１】
（親株の植え付け）
まず、親株は、自然条件下における高温季節の中期、好ましくは８月上旬から８月下旬に親株床に植える。これは、高温季節での果実の収穫を可能にするに当たって、低温季節の中期から後期にかけて、好ましくは翌年２月から３月にかけて採苗するためであり、上記時期より早く親株を植えた場合には老化苗が多くなり、遅く植えた場合には、十分な苗数を確保できないからである。親株として用いる苗は、ランナーの発生が旺盛で発生する子株数が多く、また、休眠を打破させるための低温処理作業が不要であるメリクロン苗を用いることが省力化の点から好ましい。もちろん、所定の低温処理を行って休眠打破させた他の一季成り性品種の苗を用いることも可能である。
【００１２】
（増殖工程）
親株を植え付けた後は、高温長日環境を維持し、ランナー（子株）を増殖させる。高温長日環境を維持することにより、ランナーの発生が盛んになる。高温長日環境とは、親株を植え付けた付近の温度を、日中、最低２０℃以上、好ましくは２０〜３０℃、夜間、最低５℃以上、好ましくは１０〜２０℃に保ち、日長時間を最低１０時間以上、好ましくは１２〜１５時間に保った環境であり、これを自然条件下における低温季節前期（１２〜１月）を経過するまで保つか、若しくは低温季節中期前半（２月）を経過するまで保つ。なお、長日環境は、必要に応じて夜間に２〜３時間の電照を行うことによる光中断を行って保つこともできる。この際、必要に応じて、例えば、１０月〜２月中旬までの間、温室に備え付けの暖房機、あるいは、特開平６−９０６１４号に示されているように培地内や培地上面にパイプを設け、このパイプに所定温度の水（湯）を供給する手段等の保温設備を稼働させて高温環境を維持する。同じく、必要に応じて親株床の上方に配置した電照設備を稼働させ、長日環境を維持する。このようにして所定期間、高温長日環境を保つことにより、低温季節に突入した後も樹勢を維持し、ランナーの発生を盛んにする。
【００１３】
ここで、親株床１としては、本出願人の特開平６−２８４８２６号公報に開示されているような所定の高さに設置される栽培容器２を用いることが好ましい（図２参照）。このような高設の栽培容器２に培地２２を充填して親株床１として用いることにより、栽培容器２内の培地２２に植え付けられた親株１０から発生するランナー１１を該栽培容器２の外方に突出させて下方に伸長させることができる。これにより、土耕でランナー（子株）を平面的に増殖させる場合と比較し、親株床１の栽培面積を小さくでき、温室内の限られたスペースを有効利用でき、本圃の栽培面積を増加することが可能である。
【００１４】
このような高設の親株床１を用いた場合、伸長するランナー１１に着生する子株１２は土壌が付着していないため根が活着しにくい。このため、本出願人は、特開平９−２３７４１号公報に開示されているように、子株１２を受ける子株用培地（図示せず）を適宜の高さで複数段に設け、着生した子株１２を該子株用培地に植え、根の活着率を上げる手段を提案している。しかしながら、本発明では、採苗工程において、後述のように実質的に未発根状態で子株を採苗すればよいため、上記のような子株用培地を設ける必要がなく、図２に示したような簡易な構造のものを有効活用することができる。なお、特開平６−２８４８２６号公報では、活着率を上げるため、子株１２の根圏付近に透水性シートを配設しているが、本実施形態では、このような透水性シートをも有しない、より簡易な構成のものであってもよい。この結果、本実施形態では、親株床１の設備（増殖用設備）に要するコストも少なくて済む。
【００１５】
（採苗工程）
増殖工程終了後、すなわち、低温季節前期（１２〜１月）若しくは中期前半（２月）を過ぎた後、子株を採苗する。この際、図３に示したように、子株１２が実質的に未発根の状態で採苗する。「実質的に未発根」とは、子株１２から突出する根の原基１３が１〜３０カ所までの若苗をいう。一方、このような若苗状態の子株１２を直接本圃に定植するだけでは生長させることが困難であるため、本発明では、子株１２に所定長のランナー１１を付随させた状態で採苗し、後述のように、このランナー１１の先端を、切り口を含めて本圃の培地に差し込む手段を採用している。
【００１６】
図３に示したように、付随させるランナー１１の長さは、１０ｃｍ以上であることが好ましく、さらには、１５〜４０ｃｍの範囲であることより好ましい。付随させるランナー１１の長さを１０ｃｍ以上と長くすることにより、定植直後においては、子株１２がランナー内に残留している養水分を即座に利用でき、原基１３の生長、根の伸長が促されると共に、やがては培地中の養水分がランナー１１の切り口を介して子株１２に吸収されるため、上記のように実質的に未発根の状態で採苗した子株１２の生長を可能とする。付随させるランナー１１の長さが１０ｃｍ未満、特に、５ｃｍ未満になると、ランナー１１に残留している養水分量が少なく、ランナー１１を介して培地から円滑に養水分を吸い上げ始めるまでの間に、子株１２のしおれが発生し、活着率を低下させる。また、子株１２に付随させるランナー１１は、当該子株１２の前段側、すなわち、より親株に近い側のランナー１１とすることが、養水分の移動が通常行われる方向であることから、好ましい。なお、採苗工程において、子株１２の展開葉は、１．５〜２枚になるように、古葉を付け根から除去しておくことが好ましい。
【００１７】
（定植工程）
採苗した子株１２は、育苗用の仮植床に仮植するのではなく、図４に示したように、本圃１００の培地１１０に直接定植する。この際、付随するランナー１１は、採苗時の切り口を含む先端を培地に差し込んで定植する。上記のように、子株１２を実質的に未発根の状態で採苗するため、ランナー１１を差し込むことにより、ランナー１１に残留する養水分及びランナー１１を介しての培地１１０からの養水分の吸収作用が行われ、活着率が上がる。また、子株１２を本圃１００の培地１１０に直接定植することにより、子株１２から発生した新根が本圃１００の培地１１０に繁茂する。新根は養水分の吸収機能が高いため、子株１２の生長を促すことができる。また、仮植床が不要となるなど、育苗に必要な設備コストの低減を図ることができる。なお、子株１２の定植直後の２〜７日間は、堪液状態を維持することが好ましい。これにより、活着率がさらに向上する。
【００１８】
また、採苗した子株１２を直接本圃１００に定植するため、定植時期は、低温季節前期（１２〜１月）若しくは低温季節中期前半（２月）を過ぎた低温季節の中期（２月〜３月）となる。好ましくは、２月下旬から３月中旬に上記採苗を実施すると共に定植する。そして、子株１２を本圃１００に定植した後、低温短日環境下におき、花芽分化を促進する。この際、本実施形態では、低温季節中期に定植するため、室外の気温が低く、特別な冷却手段を用いることなく、花芽分化を促進できる。このことから、本圃１００に子株１２を直接定植する本発明の手法は、高温季節に収穫するイチゴ栽培に適用すると、採苗時期及び定植時期との関係から、栽培コストの低減に大きく寄与する。もちろん、栽培地によっては、花芽分化を促進するための低温環境を、温室に付設した冷房機、あるいは、培地中や培地上に設けたパイプに水を通水する手段などの冷却設備を稼働して付与することもできる。なお、ここでいう低温短日環境とは、親株を植え付けた付近の温度を、日中、最高３０℃以下、好ましくは１５〜２５℃に、夜間、最高で２０℃以下、好ましくは５〜１５℃に保ち、日長時間を、最高１３時間以下、好ましくは８〜１３時間に保った環境である。
【００１９】
その後は、従来行われている通常のイチゴ栽培における定植後の栽培条件と同じ条件で温度管理、日長管理などを行う。これにより、自然条件下における高温季節である６月〜１１月、特に、通常時期のイチゴ栽培では収穫できない６月下旬から１０月にかけて果実が結実し、収穫が可能となる。
【００２０】
なお、上記実施形態においては、自然条件下における高温季節に果実を収穫する場合を例に挙げ説明しているが、所定期間高温長日環境を維持して親株からランナーを発生させ、着生した子株を実質的に未発根の状態で、所定長のランナーを付随させて切り離し、切り離された子株をそのまま本圃に定植すると共に、子株に付随するランナーの先端を本圃の培地に差し込み、その子株を本圃において生育して果実を得る方法は、１１月中旬〜５月下旬にかけて果実を収穫する通常時期のイチゴ栽培に応用することが可能である。この場合でも、仮植床が不要で育苗設備の費用を低減でき、本圃の栽培面積を実質的に増加させることができるという利点がある。
【００２１】
また、上記した高温季節に果実を得る栽培手法と通常時期（主として低温季節）に確実を得る栽培手法とを組み合わせることにより、周年に亘る果実の供給が可能となる。
【図面の簡単な説明】
【００２２】
【図１】図１は、本発明の一実施形態に係るイチゴの栽培方法の栽培工程を説明するための図である。
【図２】図２は、親株床の構成の一例を示す概略斜視図である。
【図３】図３は、子株及びランナーを示す図である。
【図４】図４は、子株を本圃に定植した状態を示す図である。
【符号の説明】
【００２３】
１  親株床
２  栽培容器
１０  親株
１１  ランナー
１２  子株
２２  親株床の培地
１００  本圃
１１０  本圃の培地
【図１】
2006034204.tif 000003
【図２】
2006034204.tif 000004
【図３】
2006034204.tif 000005
【図４】
2006034204.tif 000006